(57)【特許請求の範囲】
【請求項１】
２次元画像を表示する画像表示装置の第１群の信号電極に第１群の駆動信号を供給し、第２群の信号電極に第２群の駆動信号を供給するための半導体装置であって、
半導体基板と、
前記半導体基板の長手方向の第１の辺の一端側に沿って第１の領域に形成され、第１群の駆動信号の内の所定数の駆動信号を出力する第１の出力部と、
前記第１の辺の中央部に沿って前記第１の領域に隣接する第２の領域に形成され、第２群の駆動信号を出力する第２の出力部と、
前記第１の辺の他端側に沿って前記第２の領域に隣接する第３の領域に形成され、第１群の駆動信号の内の残りの駆動信号を出力する第３の出力部と、
前記半導体基板の長手方向の第２の辺に沿って前記第１の出力部と対向する第４の領域に形成され、少なくとも前記第１の出力部に供給する所定の電源電圧を発生する第１の電源部と、
前記第２の辺に沿って前記第３の出力部と対向する第５の領域に形成され、少なくとも前記第３の出力部に供給する所定の電源電圧を発生する第２の電源部と、
を具備する半導体装置。
【請求項２】
前記第２の辺に沿って前記第４の領域と前記第５の領域との間の第６の領域に形成され、順次入力された画像データを記憶して前記第１〜第３の出力部に供給する記憶部をさらに具備する請求項１記載の半導体装置。
【請求項３】
前記第１〜第３の出力部の上に絶縁膜を介して形成され、前記第１の電源部と前記第２の電源部との間で電位のやり取りを行うための配線をさらに具備する請求項１又は２記載の半導体装置。
【請求項４】
前記画像表示装置が液晶表示装置であり、前記第１群の駆動信号が前記液晶表示装置の複数のコモン電極にそれぞれ供給する複数のコモン信号であり、前記第２群の駆動信号が前記液晶表示装置の複数のセグメント電極にそれぞれ供給する複数のセグメント信号であることを特徴とする請求項１〜３のいずれか１項記載の半導体装置。
【発明の詳細な説明】
【０００１】
【発明の属する技術分野】
本発明は、ＬＣＤパネル等の表示デバイスを駆動する半導体装置（ドライバＩＣ）に関する。
【０００２】
【従来の技術】
ＬＣＤパネルを駆動する従来のドライバＩＣについて図３〜図４を参照しながら説明する。
【０００３】
図３は、従来の半導体装置を用いたＬＣＤモジュールを示す図である。図３に示すように、このＬＣＤモジュール４０は、ドライバＩＣ３１と、ＬＣＤパネル２０と、ガラス基板４１とを含んでいる。即ち、ガラス基板４１上にドライバＩＣ３１とＬＣＤパネル２０とが実装され、ＬＣＤモジュール４０を構成している。
【０００４】
ＬＣＤパネル２０は、セグメント方向において複数の領域１０１、１０２、・・・を有し、コモン方向においても複数の領域３０１、３０２、・・・を有している。ここで、セグメント方向の１つの領域とコモン方向の１つの領域を特定することにより、１つの画素（ドット）が特定される。一例としては、ＬＣＤパネル２０が、セグメント方向において１６０個の領域を有し、コモン方向においても１６０個の領域を有する。この場合には、ＬＣＤパネル２０は、１６０×１６０の画素を有することになる。
【０００５】
ドライバＩＣ３１は１つの方向に長い形状を有しており、その実装面の長手方向の一辺（図中上方の辺）の中央部に沿ってセグメント信号を出力するための金（Ａｕ）バンプのセグメント信号出力端子Ｓ２０１〜Ｓ３６０が形成されている。また、ドライバＩＣ３１の実装面の長手方向の一辺（図中上方の辺）の上記中央部の両側の部分に沿って、コモン信号を出力するための金（Ａｕ）バンプのコモン信号出力端子Ｃ２０１〜Ｃ２８０及びＣ２８１〜Ｃ３６０が形成されている。更に、ドライバＩＣ３１の実装面の長手方向の他辺（図中下方の辺）に沿って、金（Ａｕ）バンプの入力端子Ｑ１〜Ｑｎが形成されている。
【０００６】
ガラス基板４１上において、透明な配線ＬＳ２０１〜ＬＳ３６０及びＬＣ２０１〜ＬＣ３６０が形成されている。ＬＣＤパネル２０の領域１０１〜２６０には、配線ＬＳ２０１〜ＬＳ３６０によって、ドライバＩＣ３１のセグメント信号出力端子Ｓ２０１〜Ｓ３６０がそれぞれ接続されている。また、ＬＣＤパネル２０の領域３０１〜３８０には、配線ＬＣ２０１〜ＬＣ２８０によって、ドライバＩＣ３１のコモン信号出力端子Ｃ２０１〜Ｃ２８０がそれぞれ接続され、ＬＣＤパネル２０の領域３８１〜４６０には、配線ＬＣ３６０〜ＬＣ２８１によって、ドライバＩＣ３１のコモン信号出力端子Ｃ３６０〜Ｃ２８１がそれぞれ接続されている。
【０００７】
図４は、ドライバＩＣ３１の内部構成を示す図である。図４において、ドライバＩＣ３１は、パッケージ３２と、パッケージ３２に封入されたシリコン基板３３とを含んでいる。
【０００８】
シリコン基板３３上の長手方向の一辺（図中上方の辺）に沿って、セグメント信号出力部３４が形成されている。また、シリコン基板３３上の短手方向の両辺に沿って、コモン信号出力部３５〜３６がそれぞれ形成されている。更に、シリコン基板３３上の長手方向の他辺（図中下方の辺）に沿って、電源部３７、制御部３８、及び、ＲＡＭ３９が、それぞれ形成されている。セグメント信号出力部３４、コモン信号出力部３５〜３６、電源部３７、制御部３８、及び、ＲＡＭ３９は、配線（図示せず）によって相互に接続されている。
【０００９】
セグメント信号出力部３４は、セグメント信号出力端子Ｓ２０１〜Ｓ３６０に接続されており、これらのセグメント信号出力端子からセグメント信号を出力する。
コモン信号出力部３５は、コモン信号出力端子Ｃ２０１〜Ｃ２８０に接続されており、これらのコモン信号出力端子からコモン信号を出力する。コモン信号出力部３６は、コモン信号出力端子Ｃ２８１〜Ｃ３６０に接続されており、これらのコモン信号出力端子Ｃ２８１〜Ｃ３６０からコモン信号を出力する。
【００１０】
電源部３７、制御部３８、及び、ＲＡＭ３９は、入力端子Ｑ１〜Ｑｎに接続されており、これらの入力端子から電源電位、制御信号、画像データ等の入力を行う。
電源部３７は、入力端子から電源電位を受けてレギュレーション等を行い、セグメント信号出力部３４、コモン信号出力部３５〜３６、制御部３８、及び、ＲＡＭ３９に電源を供給する。
【００１１】
制御部３８は、ロジック回路であり、入力端子から制御信号を受信し、セグメント信号出力部３４、コモン信号出力部３５〜３６、電源部３７、及び、ＲＡＭ３９の制御を行う。
ＲＡＭ３９は、入力端子から画像データを受け取り、これを記憶する。
【００１２】
再び図３を参照すると、ＬＣＤドライバ３１のセグメント出力端子Ｓ２０１〜Ｓ３６０からは、上述したセグメント信号出力部３４によってセグメント信号が順次出力される。一方、ＬＣＤドライバ３１のコモン信号出力端子Ｃ２０１〜Ｃ２８０及びＣ３６０〜Ｃ２８１からは、上述したコモン信号出力部３５〜３６によってコモン信号が順次出力される。従って、ＬＣＤドライバ３１によって、ＬＣＤパネル２０を駆動することができる。
【００１３】
【発明が解決しようとする課題】
上述した従来のドライバＩＣ３１においては、面積効率を最も良くするため、図４に示すように、コモン信号出力部３５〜３６が、シリコン基板３３の短手方向の両辺に沿って形成されていた。
【００１４】
しかしながら、コモン信号出力部３５〜３６をシリコン基板３３の短手方向の両辺に沿って形成すると、シリコン基板３３の短手方向の長さを短くすることができず、ドライバＩＣ３１の短手方向の長さを短くすることができないため、ＬＣＤモジュール４０の額縁部を狭くしてスリム化を図ることが困難であるという問題があった。この問題は、特に多出力ドライバＩＣの場合に顕著であった。
【００１５】
そこで、上記の点に鑑み、本発明は、ドライバＩＣの短手方向の長さを短くすることができ、ＬＣＤモジュールの額縁部を狭くしてスリム化を実現することができる半導体装置を提供することを目的とする。
【００１６】
【課題を解決するための手段】
以上の課題を解決するため、本発明に係る半導体装置は、２次元画像を表示する画像表示装置の第１群の信号電極に第１群の駆動信号を供給し、第２群の信号電極に第２群の駆動信号を供給するための半導体装置であって、半導体基板と、半導体基板の長手方向の第１の辺に沿って第１の領域に形成され、第１群の駆動信号の内の所定数の駆動信号を出力する第１の出力部と、第１の辺に沿って第１の領域に隣接する第２の領域に形成され、第２群の駆動信号を出力する第２の出力部と、第１の辺に沿って第２の領域に隣接する第３の領域に形成され、第１群の駆動信号の内の残りの駆動信号を出力する第３の出力部と、半導体基板の長手方向の第２の辺に沿って第４の領域に形成され、少なくとも第１の出力部に電源を供給する第１の電源部と、第２の辺に沿って第５の領域に形成され、少なくとも第３の出力部に電源を供給する第２の電源部とを具備する。
【００１７】
ここで、第２の辺に沿って第４の領域と第５の領域との間の第６の領域に形成され、順次入力された画像データを記憶して第１〜第３の出力部に供給する記憶部をさらに具備することとしても良い。また、第１〜第３の出力部の上に絶縁膜を介して形成され、第１の電源部と第２の電源部との間で電位のやり取りを行うための配線をさらに具備することとしても良い。更に、画像表示装置が液晶表示装置であり、第１群の駆動信号が液晶表示装置の複数のコモン電極にそれぞれ供給する複数のコモン信号であり、第２群の駆動信号が液晶表示装置の複数のセグメント電極にそれぞれ供給する複数のセグメント信号であることととしても良い。
【００１８】
以上の様に構成した本発明によれば、画像表示装置を駆動するための半導体装置の短手方向の長さを短くすることができ、画像表示モジュールの額縁部を狭くしてスリム化を実現することができる。
【００１９】
【発明の実施の形態】
以下、図面に基づいて、本発明の実施の形態について説明する。なお、同一の構成要素には同一の参照番号を付して、説明を省略する。
【００２０】
図１は、本発明の一実施形態に係る半導体装置を用いたＬＣＤモジュールを示す図である。本実施形態は、本発明をＬＣＤ用ドライバＩＣに適用したものである。
【００２１】
図１に示すように、このＬＣＤモジュール１８は、ドライバＩＣ１と、ＬＣＤパネル２０と、ガラス基板１９とを含んでいる。即ち、ガラス基板１９上にドライバＩＣ１とＬＣＤパネル２０とが実装され、ＬＣＤモジュール１８を構成している。
【００２２】
ＬＣＤパネル２０は、セグメント方向において複数の領域１０１、１０２、・・・を有し、コモン方向においても複数の領域３０１、３０２、・・・を有している。ここで、セグメント方向の１つの領域とコモン方向の１つの領域を特定することにより、１つの画素（ドット）が特定される。一例としては、ＬＣＤパネル２０が、セグメント方向において１６０個の領域を有し、コモン方向においても１６０個の領域を有する。この場合には、ＬＣＤパネル２０は、１６０×１６０の画素を有することになる。
【００２３】
ドライバＩＣ１は１つの方向に長い形状を有しており、その実装面の長手方向の一辺（図中上方の辺）の中央部に沿ってセグメント信号を出力するための金（Ａｕ）バンプのセグメント信号出力端子Ｓ１〜Ｓ１６０が形成されている。また、ドライバＩＣ１の実装面の長手方向の一辺（図中上方の辺）の上記中央部の両側の部分に沿って、コモン信号を出力するための金（Ａｕ）バンプのコモン信号出力端子Ｃ１〜Ｃ８０及びＣ８１〜Ｃ１６０が形成されている。更に、ドライバＩＣ１の実装面の長手方向の他辺（図中下方の辺）に沿って、金（Ａｕ）バンプの入出力端子Ｐ１〜Ｐｎが形成されている。
【００２４】
ガラス基板１９上において、透明な配線ＬＳ１〜ＬＳ１６０及びＬＣ１〜ＬＣ１６０が形成されている。ＬＣＤパネル２０の領域１０１〜２６０には、配線ＬＳ１〜ＬＳ１６０によって、ドライバＩＣ１のセグメント信号出力端子Ｓ１〜Ｓ１６０がそれぞれ接続されている。また、ＬＣＤパネル２０の領域３０１〜３８０には、配線ＬＣ１〜ＬＣ８０によって、ドライバＩＣ１のコモン信号出力端子Ｃ１〜Ｃ８０がそれぞれ接続され、ＬＣＤパネル２０の領域３８１〜４６０には、配線ＬＣ１６０〜ＬＣ８１によって、ドライバＩＣ１のコモン信号出力端子Ｃ１６０〜Ｃ８１がそれぞれ接続されている。
【００２５】
図２は、ドライバＩＣ１の内部構成を示す図である。図２において、ドライバＩＣ１は、パッケージ２と、パッケージ２に封入されたシリコン基板３とを含んでいる。
【００２６】
シリコン基板３上の長手方向の一辺（図中上方の辺）の中央部に沿って、セグメント信号出力部４が形成されている。また、シリコン基板３上の長手方向の一辺（図中上方の辺）の上記中央部の両側に沿って、コモン信号出力部５〜６が形成されている。
【００２７】
さらに、シリコン基板３上の長手方向の他辺（図中下方の辺）に沿って、コモン信号出力部５〜６に対向するように（図中コモン信号出力部５〜６の下部に）、電源部７〜８が分割して形成されている。また、シリコン基板３上の長手方向の他辺（図中下方の辺）に沿って、電源部７〜８の間に、ＲＡＭ９〜１０、及び、制御部１１が形成されている。
【００２８】
電源部７と電源部８とは、セグメント信号出力部４及びコモン信号出力部５〜６上を通過するように形成された電源配線１２〜１３によって接続されている。また、セグメント信号出力部４、コモン信号出力部５〜６、電源部７〜８、ＲＡＭ９〜１０、及び、制御部１０は、配線（図示せず）によって相互に接続されている。
【００２９】
セグメント信号出力部４は、セグメント信号出力端子Ｓ１〜Ｓ１６０に接続されており、これらのセグメント信号出力端子からセグメント信号を出力する。
コモン信号出力部５は、コモン信号出力端子Ｃ１〜Ｃ８０に接続されており、これらのコモン信号出力端子からコモン信号を出力する。コモン信号出力部６は、コモン信号出力端子Ｃ８１〜Ｃ１６０に接続されており、これらのコモン信号出力端子からコモン信号を出力する。
【００３０】
電源部７〜８、ＲＡＭ９〜１０、及び、制御部１０は、入力端子Ｐ１〜Ｐｎに接続されており、これらの入力端子Ｐ１〜Ｐｎから電源電位、制御信号、画像データ等の入力を行う。
電源部７〜８は、入力端子から電源電位を受けてレギュレーション等を行い、セグメント信号出力部４、コモン信号出力部５〜６、ＲＡＭ９〜１０、及び、制御部１０に電源を供給する。また、電源部７〜８は、電源配線１２〜１３によって、レギュレーションにおける中間電位を互いに供給し合う。
ＲＡＭ９〜１０は、入力端子から画像データを受け取り、これを記憶する。
【００３１】
制御部１０は、ロジック回路であり、入力端子から制御信号等を受信し、セグメント信号出力部４、コモン信号出力部５〜６、電源部７〜８、及び、ＲＡＭ９〜１０の制御を行う。
【００３２】
再び図１を参照すると、ＬＣＤドライバ１のセグメント出力端子Ｓ１〜Ｓ１６０からは、セグメント信号が順次出力される。一方、ＬＣＤドライバ１のコモン信号出力端子Ｃ１〜Ｃ８０及びＣ１６０〜Ｃ８１からは、上述したコモン信号出力部５〜６によってコモン信号が順次出力される。従って、ＬＣＤドライバ１によって、ＬＣＤパネル２０を駆動することができる。
【００３３】
本実施形態においては、ＬＣＤドライバ１内のコモン信号出力部５〜６が、シリコン基板３の短手方向ではなく長手方向の辺に沿って形成されている。そのため、シリコン基板３の短手方向の長さを短くすることができ、ドライバＩＣ１の短手方向の長さを短くすることができる。従って、ＬＣＤモジュール１８の額縁部を狭くしてスリム化することができる。また、電源配線１２〜１３がセグメント信号出力部４及びコモン信号出力部５〜６上を通過するように形成されており、これらの電源配線１２〜１３からセグメント信号出力部４、コモン信号出力部５〜６、ＲＡＭ９〜１０、及び、制御部１０に中間電位が供給される。そのため、シリコン基板３上の電源を電源部７〜８の２つに分割して形成することにより必要となる配線等に起因して、シリコン基板３の面積が拡大することはない。
【００３４】
【発明の効果】
以上述べた様に、本発明によれば、シリコン基板の長手方向の一辺の中央部に沿ってセグメント信号出力部を形成し、シリコン基板の長手方向の一辺の上記中央部の両側の部分に沿って第１及び第２のコモン信号出力部を形成し、シリコン基板の長手方向の他辺に沿って、第１及び第２のコモン信号出力部と対向するように第１及び第２の電源部を形成することにより、ドライバＩＣの短手方向の長さを短くすることができる。これにより、ＬＣＤモジュールの額縁部を狭くしてスリム化を実現することが可能となる。
【図面の簡単な説明】
【図１】本発明の一実施形態に係る半導体装置を用いたＬＣＤモジュールを示す図である。
【図２】本発明の一実施形態に係る半導体装置の構成を示す図である。
【図３】従来のドライバＩＣを用いたＬＣＤモジュールを示す図である。
【図４】従来のドライバＩＣの構成を示す図である。
【符号の説明】
１、３１  ドライバＩＣ
２、３２  パッケージ
３、３３  シリコン基板
４、３４  セグメント信号出力部
５〜６、３５〜３６  コモン信号出力部
７〜８、３７  電源部
９〜１０、３９  ＲＡＭ
１１、３８  制御部
１２〜１３  電源配線
Ｃ１〜Ｃ１６０、Ｃ２０１〜Ｃ３６０  コモン信号出力端子
Ｓ１〜Ｓ１６０、Ｓ２０１〜Ｓ３６０  セグメント信号出力端子
Ｐ１〜Ｐｎ、Ｑ１〜Ｑｎ  入力端子
１８、４０  ＬＣＤモジュール
１９、４１  ガラス基板
２０  ＬＣＤパネル
１０１、１０２、・・・  ＬＣＤパネルにおけるセグメント方向に分割された領域
３０１、３０２、・・・  ＬＣＤパネルにおけるコモン方向に分割された領域
【図１】
0004146613.tif 000002
【図２】
0004146613.tif 000003
【図３】
0004146613.tif 000004
【図４】
0004146613.tif 000005